(57)【要約】      （修正有）【課題】画像情報の配信機能を有するとともに、可搬性、取り付け性に優れ、過酷な設置環境にも対応でき、各種災害現場等のリアルタイムによる画像収集用として、また、屋外での各種イベント時の監視用や屋外での定点監視用として極めて広範囲に活用できる画像情報配信用のドーム型撮像ユニットを提供する。【解決手段】画像情報配信用のドーム型撮像ユニット１は、半球状でブルースモーク着色したアクリル製のドーム部３及びこのドーム部３を着脱可能に支持する筐体４を耐塵、耐水、耐振仕様で一体化構造したドーム型の撮像ユニット本体２と、撮像ユニット本体２に内蔵したドーム部３を介して外部の画像を撮像する旋回及びチルト可能な撮像手段１１及びこの撮像手段１１により撮像した画像情報を外部に無線送信する無線送信部と、撮像ユニット本体２の筐体４の底部に設けたこの撮像ユニット本体２を車両のルーフ等に磁着設置するための磁着部３１と、を有するものである。【選択図】図１
0003208168.tif 000002
【実用新案登録請求の範囲】
【請求項１】
ドーム部及びこのドーム部を支持する筐体を耐塵、耐水、耐振仕様で一体化構造としたドーム型の撮像ユニット本体と、
前記撮像ユニット本体に内蔵した前記ドーム部を介して外部の画像を撮像する撮像手段及びこの撮像手段により撮像した画像情報を外部に無線送信する無線送信部と、
前記撮像ユニット本体の筐体底部に設けられ、この撮像ユニット本体を磁着設置するための磁着部と、
を有することを特徴とする画像情報配信用のドーム型撮像ユニット。
【請求項２】
半球状でブルースモーク着色したアクリル製のドーム部及びこのドーム部を着脱可能に支持する筐体を耐塵、耐水、耐振仕様で一体化構造したドーム型の撮像ユニット本体と、
前記撮像ユニット本体に内蔵した前記ドーム部を介して外部の画像を撮像する旋回及びチルト可能な撮像手段及びこの撮像手段により撮像した画像情報を外部に無線送信する無線送信部と、
前記撮像ユニット本体の筐体底部に設けられ、この撮像ユニット本体を車両のルーフ等に磁着設置するための磁着部と、
を有することを特徴とする画像情報配信用のドーム型撮像ユニット。
【請求項３】
半球状でブルースモーク着色したアクリル製のドーム部及びこのドーム部を着脱可能に支持する筐体を耐塵、耐水、耐振仕様で一体化構造したドーム型の撮像ユニット本体と、
前記撮像ユニット本体に内蔵した前記ドーム部を介して外部の画像を撮像する旋回及びチルト可能な撮像手段及びこの撮像手段により撮像した画像情報を外部に無線送信する無線送信部と、
前記撮像ユニット本体の筐体底部に設けられ、この撮像ユニット本体を車両のルーフ等に磁着設置するための減磁防止鉄板及びゴム磁石板の重合構造からなる磁着部と、
を有することを特徴とする画像情報配信用のドーム型撮像ユニット。
【請求項４】
前記磁着部を車両のルーフに磁着し、車両の停止場所又はその移動に応じて前記撮像手段により撮像した画像情報を無線送信部によりリアルタイムで外部に無線送信することを特徴とする請求項１乃至３のいずれか１項に記載の画像情報配信用のドーム型撮像ユニット。
【請求項５】
前記磁着部を定点に設置した三脚等の支持手段に磁着し、前記撮像手段により撮像したその周辺の画像情報を無線送信部によりリアルタイムで外部に無線送信することを特徴とする請求項１乃至３のいずれか１項に記載の画像情報配信用のドーム型撮像ユニット。
【考案の詳細な説明】
【技術分野】
【０００１】
本考案は、画像情報配信用のドーム型撮像ユニットに関し、詳しくは、可搬性、設置多様性に優れ、かつ、様々な設置現場の状況を画像としてリアルタイムで配信可能な画像情報配信用のドーム型撮像ユニットに関するものである。
【背景技術】
【０００２】
従来、例えば、火災、地震や津波、台風、土砂災害、河川氾濫等の種々の災害時、緊急時においては、現場の状況を画像としてリアルタイムで把握することが人命の尊重や、災害の拡大防止の観点から極めて重要となる。
【０００３】
このような災害時、緊急時における現場の状況を画像として把握するための手段として従来から監視カメラが各地に設置されているが、定点設置型の監視カメラでは必然的に撮像範囲がその設置地点の周囲に限定されてしまう。
【０００４】
特許文献１には、火災現場の状況把握用として、消防士のヘルメットに消防士の視線と同じ方向を撮影するように取り付けられる小型ビデオカメラと、前記消防士が身に付けて前記カメラで撮影した画像信号を送信する無線送信機と、火災現場に出動する司令車に搭載されて前記送信機からの画像信号を受信する無線受信機と、前記司令車に搭載されて前記受信機で受信した画像信号を画像として表示する表示装置とを備える火災現場の状況把握装置が提案されている。
【０００５】
しかし、特許文献１の状況把握装置の場合、消防士のヘルメットに装着する構成であることから、その適用範囲が狭く、消防士が出動する火災等の災害現場の画像収集に限定されてしまうという問題がある。
【先行技術文献】
【特許文献】
【０００６】
【特許文献１】特開２０００−３３３１６０号公報
【考案の概要】
【考案が解決しようとする課題】
【０００７】
本考案は、上記従来の事情に鑑みて開発されたものであり、画像情報の配信機能を有するとともに、可搬性、取り付け性に優れ、過酷な設置環境にも対応でき、車両との組み合わせで各種災害現場等のリアルタイムによる画像収集用として、また、屋外での各種イベント時の監視用や屋外での定点監視用として極めて広範囲に活用できる斬新な画像情報配信用のドーム型撮像ユニットを提供するものである。
【課題を解決するための手段】
【０００８】
本考案の画像情報配信用のドーム型撮像ユニットは、ドーム部及びこのドーム部を支持する筐体を耐塵、耐水、耐振仕様で一体化構造としたドーム型の撮像ユニット本体と、前記撮像ユニット本体に内蔵した前記ドーム部を介して外部の画像を撮像する撮像手段及びこの撮像手段により撮像した画像情報を外部に無線送信する無線送信部と、前記撮像ユニット本体の筐体底部に設けたこの撮像ユニット本体を磁着設置するための磁着部と、を有することを最も主要な特徴とする。
【考案の効果】
【０００９】
請求項１記載の考案によれば、可搬性、磁着部による取り付け性に優れ、過酷な設置環境にも対応でき、画像の撮像、画像情報の配信機能を有し、車両との組み合わせで各種災害現場等のリアルタイムによる画像収集用として、また、屋外での定点監視用等として広範囲に活用できる画像情報配信用のドーム型撮像ユニットを実現し提供することができる。
【００１０】
請求項２記載の考案によれば、半球状でブルースモーク着色したアクリル製のドーム部及びこのドーム部を着脱可能に支持する筐体を耐塵、耐水、耐振仕様で一体化構造したドーム型の撮像ユニット本体と、前記撮像ユニット本体に内蔵した前記ドーム部を介して外部の画像を撮像する旋回及びチルト可能な撮像手段及びこの撮像手段により撮像した画像情報を外部に無線送信する無線送信部と、前記撮像ユニット本体の筐体底部に設けたこの撮像ユニット本体を車両のルーフ等に磁着設置するための磁着部と、を有する構成の基に、請求項１記載の考案と同様、可搬性、磁着部による取り付け性に優れ、過酷な設置環境にも対応でき、画像の撮像、画像情報の配信機能を有し、車両との組み合わせで各種災害現場等のリアルタイムによる画像収集用として、また、屋外での定点監視用等として広範囲に活用できる画像情報配信用のドーム型撮像ユニットを実現し提供することができる。
【００１１】
請求項３記載の考案によれば、請求項２記載の考案と同様な効果を奏するとともに、磁着部を減磁防止鉄板及びゴム磁石板の重合構造としているので、ゴム磁石板の磁力を長期にわたって維持し、耐久性にも優れた画像情報配信用のドーム型撮像ユニットを実現し提供することができる。
【００１２】
請求項４記載の考案によれば、請求項１乃至３のいずれかに記載の考案において、前記磁着部を車両のルーフに磁着し、車両の停止場所又はその移動に応じて前記撮像手段により撮像した画像情報を無線送信部によりリアルタイムで外部に無線送信する構成としているので、特に、火災現場、地震や津波、台風、土砂災害、河川氾濫等の種々の災害発生現場、更には事故発生現場等の状況把握、情報共有の効率化に大いに貢献することができる画像情報配信用のドーム型撮像ユニットを実現し提供することができる。
【００１３】
請求項５記載の考案によれば、請求項１乃至３のいずれかに記載の考案において、前記磁着部を定点に設置した三脚等の支持手段に磁着し、前記撮像手段により撮像したその周辺の画像情報を無線送信部によりリアルタイムで外部に無線送信する構成としているので、特に、屋外でのイベント時に監視力メラとして一時的に利用しその現場状況の把握に用いたり、災害発生現場での定点監視用として有効に活用し、その現場状況把握に用いて好適な画像情報配信用のドーム型撮像ユニットを実現し提供することができる。
【図面の簡単な説明】
【００１４】
【図１】図１は本考案の本実施例に係る画像情報配信用のドーム型撮像ユニットの外観構成を示す概略斜視図である。
【図２】図２は本実施例に係る画像情報配信用のドーム型撮像ユニットのドーム部を除去した状態の概略斜視図である。
【図３】図３は本実施例に係る画像情報配信用のドーム型撮像ユニットのドーム部を除去した状態の概略平面図である。
【図４】図４は本実施例に係る画像情報配信用のドーム型撮像ユニットの背面側から見た外観構成を示す概略斜視図である。
【図５】図５は本実施例に係る画像情報配信用のドーム型撮像ユニットの画像情報送信系を示す概略ブロック図である。
【図６】図６は本実施例に係る画像情報配信用のドーム型撮像ユニットを消防活動用の指令車のルーフに取り付けた状態を示す概略図である。
【図７】図７は本実施例に係る画像情報配信用のドーム型撮像ユニットを三脚に取り付け定点監視用として使用する態様を示す概略図である。
【考案を実施するための形態】
【００１５】
本考案は、画像情報の配信機能を有するとともに、可搬性、取り付け性に優れ、過酷な設置環境にも対応でき、車両との組み合わせで各種災害現場等のリアルタイムによる画像収集用として、また、屋外での定点監視用等として広範囲に活用できる画像情報配信用のドーム型撮像ユニットを実現し提供するという目的を、半球状でブルースモーク着色したアクリル製のドーム部及びこのドーム部を着脱可能に支持する筐体を耐塵、耐水、耐振仕様で一体化構造したドーム型の撮像ユニット本体と、前記撮像ユニット本体に内蔵した前記ドーム部を介して外部の画像を撮像する旋回及びチルト可能な撮像手段及びこの撮像手段により撮像した画像情報を外部に無線送信する無線送信部と、前記撮像ユニット本体の筐体底部に設けたこの撮像ユニット本体を車両のルーフ等に磁着設置するための磁着部と、を有する構成により実現した。
【実施例】
【００１６】
以下、本考案の実施例に係る画像情報配信用のドーム型撮像ユニットについて図面を参照して詳細に説明する。
【００１７】
本実施例に係る画像情報配信用のドーム型撮像ユニット１は、図１乃至図４に示すように、外観が半球状でブルースモーク着色したアクリル製で半球状ドーム型のドーム部３、及びこのドーム部３の円形下端縁部３ａを円形上縁部４ａで着脱可能に、かつ、ＩＰ６５相当の耐塵、耐水仕様で支持する上部が開口した皿状を呈し、外面を例えばステンレス製バフ仕上げとした筐体４を一体化構造した全体として上部がドーム型の撮像ユニット本体２と、前記撮像ユニット本体２内の前記ドーム部３、筐体４の内部に配置した前記ドーム部３を介して外部の物体等の画像を撮像する旋回及びチルト可能な公知の撮像手段１１、及びこの撮像手段１１により撮像した画像情報を外部に無線送信する前記筐体４の背面側に配置した例えば円筒ユニット状で、公知のＬＴＥ（Ｌｏｎｇ  Ｔｅｒｍ  Ｅｖｏｌｕｔｉｏｎ：移動体通信規格）モバイルルータとして機能する無線送信部２１と、前記撮像ユニット本体２の筐体４の底部に設けたこの撮像ユニット本体２を例えば車両４１のルーフ４２等に磁着設置するための磁着部３１と、を有している。
【００１８】
前記撮像ユニット本体２を構成する筐体４の外周部には、操作者が手で把持し運搬するための一対の取手部５、５を設け、この撮像ユニット本体２に可搬性を持たせている。
【００１９】
前記撮像手段１１としては、例えばＷＶ−ＳＣ３８５（Ｐａｎａｓｏｎｉｃ製）、ＶＢ−Ｈ４３／ＶＢ−Ｍ５０Ｂ（Ｃａｎｏｎ製）等の例を挙げることができる。
【００２０】
前記ドーム部３、筐体４が形成する撮像ユニット本体２の内部空間には、図２、図３に示すように、前記撮像手段１１、この撮像手段１１を支持する支持基板１２、詳細説明は省略するが撮像手段１１を耐振仕様とするためのロープ防振器１３、前記撮像手段１１の結露を軽減するための送風ファン１４、内部コネクタ１５を配置している。
【００２１】
前記撮像ユニット本体２における前記筐体４の背面側には、図４に示すように、前記無線送信部２１と、前記内部コネクタ１５と電気的に結合させるための外部コネクタ２２とが配置されて、前記撮像手段１１と無線送信部２１とを、図示しない配線ケーブル、内部コネクタ１５、外部コネクタ２２及び図示しない配線ケーブルで接続する構成になっている。
【００２２】
このような構成により、図５に示すように、撮像手段１１により撮像した対象物体の画像情報を無線送信部２１によりリアルタイムで、かつ、高速に外部のコンピュータ（例えば、消防署の管理コンピュータ等）５１に無線送信しその画像表示部５２に表示させるように構成している。
【００２３】
前記磁着部３１は、前記筐体４の底面に添設した減磁防止鉄板３２と、この減磁防止鉄板３２に添設したゴム磁石板３３との重合構造とし、このゴム磁石板３３を車両４１のルーフ４２等に磁着することで、前記ドーム型撮像ユニット１自体を車両４１のルーフ４２上に着脱可能に取り付けるように構成している。
【００２４】
また、減磁防止鉄板３２は、ゴム磁石板３３の磁力の低下を防止しゴム磁石板３３の磁力を長期にわたって維持する機能を発揮するものである。
【００２５】
図５は、本実施例に係る画像情報配信用のドーム型撮像ユニット１から例えば消防本部に設けた画像表示部５２を備える管理コンピュータ５１への画像送信系を示すものである。
【００２６】
本実施例に係る画像情報配信用のドーム型撮像ユニット１によれば、底部に設置対象物体に装着できるゴム磁石板３３を備えているため、例えば、図６に示すように、前記撮像ユニット本体２を消防活動用の指令車等のような車両４１のルーフ４２にワンタッチで取り付け、前記車両４１の消防活動時の移動に伴って刻々と変化する火災現場の画像を撮像手段１１により撮像し、撮像した当該画像情報を無線送信部２１によりリアルタイムで管理コンピュータ５１に送信し画像表示部５２に表示することができる。
【００２７】
このような使用態様によれば、本実施例に係るドーム型撮像ユニット１は半球状ドーム型のドーム部３を採用していることから、従来の一般的な監視カメラやドライブレコーダのような一定範囲に限られた画像情報ではなく、前記車両４１の移動に応じて比較的高い位置からの広範囲の画像を撮像しその画像情報を管理コンピュータ５１配信することが可能となり、消防本部における火災現場の状況把握、情報共有の効率化に大いに貢献することができる。
【００２８】
この他、地震や津波、台風、土砂災害、河川氾濫等の種々の災害発生現場や、各種事件発生現場の状況把握も上述した場合同様にして大いに貢献することができる。
【００２９】
また、図７は本実施例に係る画像情報配信用のドーム型撮像ユニット１をその可搬性、取り付け容易性を利用し、必要に応じて前記車両４１のルーフ４２から取り外し、屋外の所定の場所に設置した三脚４３の頂部に設けた支持鉄板４４に取り付けた状態を示すものである。
【００３０】
図７に示すような使用態様によれば、例えば、屋外でのイベント時に監視力メラとして一時的に利用しその現場状況把握に用いたり、災害発生現場での定点監視用として有効に活用し、その現場状況把握に用いたりすることができる。
【００３１】
この他、本実施例に係るドーム型撮像ユニット１においては、例えば消防本部に設けた管理コンピュータ５１側から前記撮像手段１１のパン、チルト、ズーム機能を遠隔操作可能とし画像撮影の多様化を図ったり、録画、画面キャプチャも可能する構成を採用することもできる。
【００３２】
更に、本実施例に係るドーム型撮像ユニット１は、全体としてシステム構成が簡略であり、可搬性に優れ、設置対象物に対する着脱が極めて簡略であり、保守サポートも簡略である等の種々の優れた利点を有するものである。
【産業上の利用可能性】
【００３３】
本考案は、上述した場合の他、例えばビルディングの屋外に面したベランダ等の手摺り、体育館や興業施設の観覧席や手摺り、工場設備の近傍等に設置して各種対象物の画像状況把握用として広範に活用可能である。
【符号の説明】
【００３４】
１    画像情報配信用のドーム型撮像ユニット
２    撮像ユニット本体
３    ドーム部
３ａ  円形下端縁部
４    筐体
４ａ  円形上縁部
５    取手部
１１    撮像手段
１２    支持基板
１３    ロープ防振器
１４    送風ファン
１５    内部コネクタ
２１    無線送信部
２２    外部コネクタ
３１    磁着部
３２    減磁防止鉄板
３３    ゴム磁石板
４１    車両
４２    ルーフ
４３    三脚
４４    支持鉄板
５１    管理コンピュータ
５２    画像表示部
【図１】
0003208168.tif 000003
【図２】
0003208168.tif 000004
【図３】
0003208168.tif 000005
【図４】
0003208168.tif 000006
【図５】
0003208168.tif 000007
【図６】
0003208168.tif 000008
【図７】
0003208168.tif 000009
【手続補正書】
【提出日】平成28年11月11日(2016.11.11)
【手続補正１】
【補正対象書類名】明細書
【補正対象項目名】０００８
【補正方法】変更
【補正の内容】
【０００８】
本考案の画像情報配信用のドーム型撮像ユニットは、ドーム部及びこのドーム部を支持する筐体を耐塵、耐水、耐振仕様で一体化構造としたドーム型の撮像ユニット本体と、前記撮像ユニット本体に内蔵した前記ドーム部を介して外部の画像を撮像する撮像手段と、前記撮像ユニット本体に内蔵されるか又は撮像ユニット本体の外部に配置されて前記撮像手段により撮像した画像情報を外部に無線送信する無線送信部と、前記撮像ユニット本体の筐体底部に設けたこの撮像ユニット本体を磁着設置するための磁着部と、を有することを最も主要な特徴とする。
【手続補正２】
【補正対象書類名】明細書
【補正対象項目名】０００９
【補正方法】変更
【補正の内容】
【０００９】
請求項１、２記載の考案によれば、可搬性、磁着部による取り付け性に優れ、過酷な設置環境にも対応でき、画像の撮像、画像情報の配信機能を有し、車両との組み合わせで各種災害現場等のリアルタイムによる画像収集用として、また、屋外での定点監視用等として広範囲に活用できる画像情報配信用のドーム型撮像ユニットを実現し提供することができる。
【手続補正３】
【補正対象書類名】明細書
【補正対象項目名】００１０
【補正方法】変更
【補正の内容】
【００１０】
請求項３記載の考案によれば、半球状でブルースモーク着色したアクリル製のドーム部及びこのドーム部を着脱可能に支持する筐体を耐塵、耐水、耐振仕様で一体化構造したドーム型の撮像ユニット本体と、前記撮像ユニット本体に内蔵した前記ドーム部を介して外部の画像を撮像する旋回及びチルト可能な撮像手段と、前記撮像ユニット本体に内蔵されるか又は撮像ユニット本体の外部に配置されて前記撮像手段により撮像した画像情報を外部に無線送信する無線送信部と、前記撮像ユニット本体の筐体底部に設けたこの撮像ユニット本体を車両のルーフ等に磁着設置するための磁着部と、を有する構成の基に、請求項１、２記載の考案と同様に、可搬性、磁着部による取り付け性に優れ、過酷な設置環境にも対応でき、画像の撮像、画像情報の配信機能を有し、車両との組み合わせで各種災害現場等のリアルタイムによる画像収集用として、また、屋外での定点監視用等として広範囲に活用できる画像情報配信用のドーム型撮像ユニットを実現し提供することができる。
【手続補正４】
【補正対象書類名】明細書
【補正対象項目名】００１１
【補正方法】変更
【補正の内容】
【００１１】
請求項４記載の考案によれば、請求項３記載の考案と同様な効果を奏するとともに、磁着部を減磁防止鉄板及びゴム磁石板の重合構造としているので、ゴム磁石板の磁力を長期にわたって維持し、耐久性にも優れた画像情報配信用のドーム型撮像ユニットを実現し提供することができる。
【手続補正５】
【補正対象書類名】明細書
【補正対象項目名】００１２
【補正方法】変更
【補正の内容】
【００１２】
請求項５記載の考案によれば、請求項１乃至４のいずれかに記載の考案において、前記磁着部を車両のルーフに磁着し、車両の停止場所又はその移動に応じて前記撮像手段により撮像した画像情報を無線送信部によりリアルタイムで外部に無線送信する構成としているので、特に、火災現場、地震や津波、台風、土砂災害、河川氾濫等の種々の災害発生現場、更には事故発生現場等の状況把握、情報共有の効率化に大いに貢献することができる画像情報配信用のドーム型撮像ユニットを実現し提供することができる。
【手続補正６】
【補正対象書類名】明細書
【補正対象項目名】００１３
【補正方法】変更
【補正の内容】
【００１３】
請求項６記載の考案によれば、請求項１乃至４のいずれかに記載の考案において、前記磁着部を定点に設置した三脚等の支持手段に磁着し、前記撮像手段により撮像したその周辺の画像情報を無線送信部によりリアルタイムで外部に無線送信する構成としているので、特に、屋外でのイベント時に監視力メラとして一時的に利用しその現場状況を把握に用いたり、災害発生現場での定点監視用として有効に活用し、その現場状況把握に用いて好適な画像情報配信用のドーム型撮像ユニットを実現し提供することができる。
【手続補正７】
【補正対象書類名】明細書
【補正対象項目名】００１５
【補正方法】変更
【補正の内容】
【００１５】
本考案は、画像情報の配信機能を有するとともに、可搬性、取り付け性に優れ、過酷な設置環境にも対応でき、車両との組み合わせで各種災害現場等のリアルタイムによる画像収集用として、また、屋外での定点監視用等として広範囲に活用できる画像情報配信用のドーム型撮像ユニットを実現し提供するという目的を、半球状でブルースモーク着色したアクリル製のドーム部及びこのドーム部を着脱可能に支持する筐体を耐塵、耐水、耐振仕様で一体化構造したドーム型の撮像ユニット本体と、前記撮像ユニット本体に内蔵した前記ドーム部を介して外部の画像を撮像する旋回及びチルト可能な撮像手段と、前記撮像ユニット本体に内蔵されるか又は撮像ユニット本体の外部に配置されて前記撮像手段により撮像した画像情報を外部に無線送信する無線送信部と、前記撮像ユニット本体の筐体底部に設けたこの撮像ユニット本体を車両のルーフ等に磁着設置するための磁着部と、を有する構成により実現した。
【手続補正８】
【補正対象書類名】明細書
【補正対象項目名】００１７
【補正方法】変更
【補正の内容】
【００１７】
本実施例に係る画像情報配信用のドーム型撮像ユニット１は、図１乃至図４に示すように、外観が半球状でブルースモーク着色したアクリル製で半球状ドーム型のドーム部３、及びこのドーム部３の円形下端縁部３ａを円形上縁部４ａで着脱可能に、かつ、ＩＰ６５相当の耐塵、耐水仕様で支持する上部が開口した皿状を呈し、外面を例えばステンレス製バフ仕上げとした筐体４を一体化構造した全体として上部がドーム型の撮像ユニット本体２と、前記撮像ユニット本体２内の前記ドーム部３、筐体４の内部に配置した前記ドーム部３を介して外部の物体等の画像を撮像する旋回及びチルト可能な公知の撮像手段１１、及びこの撮像手段１１により撮像した画像情報を外部に無線送信する前記筐体４の背面側に配置した例えば円筒ユニット状で、公知のＬＴＥ（Ｌｏｎｇ  Ｔｅｒｍ  Ｅｖｏｌｕｔｉｏｎ：移動体通信規格）モバイルルータとして機能する無線送信部２１と、前記撮像ユニット本体２の筐体４の底部に設けたこの撮像ユニット本体２を例えば車両４１のルーフ４２等に磁着設置するための磁着部３１と、を有している。
無線送信部２１は、前記筐体４を一体化構造として上部をドーム型とした前記撮像ユニット本体２に内蔵されるか、又は当該筐体４の背面側等の外部に配置されて、前記撮像手段１１により撮像した画像情報を外部に無線送信するように構成されている。
【手続補正９】
【補正対象書類名】実用新案登録請求の範囲
【補正対象項目名】全文
【補正方法】変更
【補正の内容】
【実用新案登録請求の範囲】
【請求項１】
ドーム部及びこのドーム部を支持する筐体を耐塵、耐水、耐振仕様で一体化構造としたドーム型の撮像ユニット本体と、
前記撮像ユニット本体に内蔵した前記ドーム部を介して外部の画像を撮像する撮像手段と、
前記撮像ユニット本体の外部に配置されて前記撮像手段により撮像した画像情報を外部に無線送信する無線送信部と、
前記撮像ユニット本体の筐体底部に設けられ、この撮像ユニット本体を磁着設置するための磁着部と、
を有することを特徴とする画像情報配信用のドーム型撮像ユニット。
【請求項２】
ドーム部及びこのドーム部を支持する筐体を耐塵、耐水、耐振仕様で一体化構造としたドーム型の撮像ユニット本体と、
前記撮像ユニット本体に内蔵した前記ドーム部を介して外部の画像を撮像する撮像手段及びこの撮像手段により撮像した画像情報を外部に無線送信する無線送信部と、
前記撮像ユニット本体の筐体底部に設けられ、この撮像ユニット本体を磁着設置するための磁着部と、
を有することを特徴とする画像情報配信用のドーム型撮像ユニット。
【請求項３】
半球状でブルースモーク着色したアクリル製のドーム部及びこのドーム部を着脱可能に支持する筐体を耐塵、耐水、耐振仕様で一体化構造したドーム型の撮像ユニット本体と、
前記撮像ユニット本体に内蔵した前記ドーム部を介して外部の画像を撮像する旋回及びチルト可能な撮像手段と、
前記撮像ユニット本体に内蔵されるか又は撮像ユニット本体の外部に配置されて前記撮像手段により撮像した画像情報を外部に無線送信する無線送信部と、
前記撮像ユニット本体の筐体底部に設けられ、この撮像ユニット本体を車両のルーフ等に磁着設置するための磁着部と、
を有することを特徴とする画像情報配信用のドーム型撮像ユニット。
【請求項４】
半球状でブルースモーク着色したアクリル製のドーム部及びこのドーム部を着脱可能に支持する筐体を耐塵、耐水、耐振仕様で一体化構造したドーム型の撮像ユニット本体と、
前記撮像ユニット本体に内蔵した前記ドーム部を介して外部の画像を撮像する旋回及びチルト可能な撮像手段と、
前記撮像ユニット本体に内蔵されるか又は撮像ユニット本体の外部に配置されて前記撮像手段により撮像した画像情報を外部に無線送信する無線送信部と、
前記撮像ユニット本体の筐体底部に設けられ、この撮像ユニット本体を車両のルーフ等に磁着設置するための減磁防止鉄板及びゴム磁石板の重合構造からなる磁着部と、
を有することを特徴とする画像情報配信用のドーム型撮像ユニット。
【請求項５】
前記磁着部を車両のルーフに磁着し、車両の停止場所又はその移動に応じて前記撮像手段により撮像した画像情報を無線送信部によりリアルタイムで外部に無線送信することを特徴とする請求項１乃至４のいずれか１項に記載の画像情報配信用のドーム型撮像ユニット。
【請求項６】
前記磁着部を定点に設置した三脚等の支持手段に磁着し、前記撮像手段により撮像したその周辺の画像情報を無線送信部によりリアルタイムで外部に無線送信することを特徴とする請求項１乃至４のいずれか１項に記載の画像情報配信用のドーム型撮像ユニット。